【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
ホイールにウエイトを適用するための装置であって、
少なくとも２つの所与の長さの互いに異なるウエイト材各々から所望のウエイトの断片を分けることができる、少なくとも１つの分離デバイスと、
前記少なくとも２つの異なるウエイト材の各々からの分離された断片を、ホイールの異なる箇所に適用することができる、少なくとも１つのウエイト適用デバイスと
を含む、装置。
【請求項２】
それぞれ所望のウエイトの断片に分離され得る、少なくとも２つの長さである異なるウエイト材と組み合わされた、請求項１に記載の装置。
【請求項３】
前記少なくとも１つの分離デバイスは、少なくとも第１の分離デバイス及び第２の分離デバイスであり、各タイプの前記所与の長さの互いに異なるウエイト材から前記所望のウエイトの断片を分離することができ、各前記分離デバイスは少なくとも２つの分離機構を含み、各分離機構は、そこを通る、対応する長さの前記互いに異なるウエイト材から断片を分離することができる、請求項１又は２に記載の装置。
【請求項４】
前記分離機構の各々は、各タイプの所与の前記ウエイト材から前記所望のウエイトの断片を分離するように移動可能である切断ブレードを収容した切断ヘッドを含み、各前記分離機構は誘導ブロックを含み、各誘導ブロックは、対応する前記ウエイト材が通過し、経路に沿って導かれて１つの対応する切断ヘッドを越えることを可能にする断面形状を有するチャネルを画定し、各前記誘導ブロックは、異なる断面形状のウエイト材が通過できる、異なる断面形状のチャネルを有する、請求項３に記載の装置。
【請求項５】
前記ウエイト材の裏面に接着剤が付いていて、前記接着剤がバッキングによって保護されている場合に、各分離機構と共に使用するための１つのバッキング除去機構を更に含み、各前記バッキング除去機構は、所望のウエイトの対応する断片を分離する前に、対応する長さのバッキングを前記ウエイト材から除去するのを容易にする、請求項１〜４のいずれか一項に記載の装置。
【請求項６】
前記分離デバイスは駆動ローラを含み、各分離機構は少なくとも１つの係合ローラを含み、各係合ローラは、１つの対応するウエイト材を独立して前記駆動ローラに押圧するために、前記駆動ローラに向けて及び前記駆動ローラから離れるように、独立して移動可能であり、それにより、前記駆動ローラが、各ウエイト材を別々に又は同時に、対応する切断ヘッドを所望の距離だけ通り過ぎるように動かして、形成される各断片のウエイトを制御することができる、請求項４又は５に記載の装置。
【請求項７】
各分離機構が、前記駆動ローラが回転している間に、１つの対応するウエイト材を離して前記駆動ローラに接触しないようにすることができる、少なくとも１つのウエイト材リフトアームを更に含む、請求項３〜６のいずれか一項に記載の装置。
【請求項８】
各ウエイト材リフトアームが対応する係合ローラの移動と一致して動くように、各ウエイト材リフトアームが１つの係合ローラに接続されている、請求項７に記載の装置。
【請求項９】
各前記ウエイト適用デバイスが、実施アームの端部に据付けられたツールを含み、前記ツールは、少なくとも２つの所与の長さのウエイト材の各々から分離された所望のウエイトの前記断片を、１つの分離デバイスから受け入れてホイールに適用することができ、前記制御アームは、（ａ）ウエイト材の前記断片を受け入れて装填されたツールを生成するように、前記ツールを前記１つの分離デバイスに隣接するように位置決めするため、（ｂ）前記装填されたツールの位置をホイールの異なる箇所に隣接するように変えるため、及び（ｃ）前記装填されたツール上の各分離された断片を、前記ホイールの各自の箇所に接合するように接触させるために、作動させることができる、請求項１〜８のいずれか一項に記載の装置。
【請求項１０】
前記ツールは、少なくとも２つの互いに異なるウェットアウト装置を含み、それぞれのウェットアウト装置は前記少なくとも１つの分離デバイスから受け入れたウエイト材の異なる分離された断片を装填することができる、請求項９に記載の装置。
【請求項１１】
各前記ツールが、フラット型ウエイト材の断片を前記ホイールのフラット面に適用するための、少なくとも１つの第１のウェットアウトデバイスと、フランジ型ウエイト材の断片を前記ホイールのフランジ面に適用するための、少なくとも１つの第２のウェットアウトデバイスとを含む、請求項９に記載の装置。
【請求項１２】
各前記ウェットアウトデバイスが、ウエイト材の断片が前記ホイールに適用される前に、前記断片が置かれる弧状面を有する、請求項１１に記載の装置。
【請求項１３】
前記ツールが、間隔を空けた２つの第１のウェットアウトデバイス、及び１つの第２のウェットアウトデバイスを含み、一方のウェットアウトデバイスは、その弧状面に対して垂直な方向にのみ移動可能であり、他方の第１のウェットアウトデバイスは、その面に対して垂直な方向及びそれに直交する別の方向に移動可能であり、前記第２のウェットアウトデバイスは、一方の端部において、他方の端部に位置する枢動点を中心として枢動するように移動可能である、請求項１２に記載の装置。
【請求項１４】
ウエイト材の裏面に接着剤が付いている場合に、前記ウエイト適用デバイスが、少なくとも２つの所与の長さの互いに異なる複数のウエイト材の各々から分離された所望のウエイトの前記断片を、前記ホイールの異なる箇所に接着剤で接合することができる、請求項１〜１３のいずれか一項に記載の装置。
【請求項１５】
前記ウエイト適用デバイスが、所与の長さのフラット型ウエイト材及び所与の長さのフランジ型ウエイト材から分離された所望のウエイトの前記断片を、前記ホイールの異なる箇所に接着剤で接合することができる、請求項１４に記載の装置。
【請求項１６】
連続したウエイト材及び分割されたウエイト材、又はそれらの任意の組み合わせを処理することができる、請求項１〜１５のいずれか一項に記載の装置。
【請求項１７】
ホイールを前記ウエイト適用デバイスに対して適位置に動かして、分離されたウエイト材の各断片を前記ホイールの各自の箇所に接合することを可能にするホイールコンベヤアセンブリを更に含み、ホイールコンベヤアセンブリは、ホイールとの接触を可能にするのに互いに十分に近接した状態を保つように別々に又は共に動かすことができる、少なくとも１つの第１のコンベヤベルトと少なくとも１つの第２のコンベヤベルトとを含み、それにより、ホイールは、ベルトによって、分離デバイス及び各ウエイト適用デバイスに対して所
望の箇所に動かすことができる、請求項１〜１６のいずれか一項に記載の装置。
【請求項１８】
両方の前記ベルトは、前記ベルトが据付けられたフレームの中心線から反対方向に同じ距離だけ、同時に動かすことができる、請求項１７に記載の装置。
【請求項１９】
請求項１〜１８のいずれか一項による装置を使用して、ホイールにウエイトを適用する方法。
【請求項２０】
ホイールにウエイト材を適用するための装置であって、
ハウジング、分離デバイス、及び分配機構を含む、分離ヘッドアセンブリであって、前記分配機構は、所定量の前記ウエイト材を前記分離デバイスに対して位置決めし、前記分離デバイスは、前記ハウジングに対して移動して、前記ウエイト材の供給源から前記所定量の前記ウエイト材を分けるために据付けられている、分離ヘッドアセンブリと、
据付けられた（例えば回転可能に据付けられた）第１の端部、及び前記所定量の前記ウエイト材を前記分離ヘッドアセンブリから前記ホイールへ移動させるように構成されたウエイト適用ツールを有する第２の端部を含む、制御アームと、
第１のコンベヤアクチュエータ、第２のコンベヤアクチュエータ、第１の連続ベルト、第２の連続ベルト、第１の基部部材に据付けられて、前記第１の基部部材に対する前記第１の連続ベルトの連続ループ運動を支持する複数の第１のローラ、及び第２の基部部材に据付けられて、前記第２の基部部材に対する前記第２の連続ベルトの連続ループ運動を支持する複数の第２のローラを含むコンベヤアセンブリであって、前記第１のコンベヤアクチュエータは、前記第１のローラのうちの少なくとも１つ及び前記第２のローラのうちの少なくとも１つを駆動させ、前記第２のコンベヤアクチュエータは、前記第１の基部部材を前記第２の基部部材に対して、前記第１及び第２のローラの回転軸と平行な方向に駆動して、前記第１の連続ベルトと前記第２の連続ベルトとの間の空隙を調整する、コンベヤアセンブリと
を含む、装置。
【請求項２１】
ホイールにウエイト材を適用するための装置であって、
ハウジング、分配機構、第１の分離デバイス、及び第２の分離デバイスを含む分離ヘッドアセンブリであって、前記ハウジングは、第１及び第２の所定量のウエイト材をそれぞれ受け入れる第１及び第２のレーンを含み、前記第１の分離デバイスは、前記第１の所定量のウエイト材を第１のウエイト材の供給源から分け、前記第２の分離デバイスは、前記第２の所定量のウエイト材を第２のウエイト材の供給源から分け、前記分配機構は、前記第１及び第２の所定量のウエイト材を、前記第１及び前記第２のレーンを通して動かす、分離ヘッドアセンブリと、
移動可能に据付けられ、前記第１及び第２の所定量のウエイト材を前記分離ヘッドアセンブリからホイールの第１及び第２の箇所に移動させるためのウエイト適用ツールを有する、制御アームと
を含む、装置。
【請求項２２】
ホイールにウエイト材を適用するための装置であって、
コンベヤアセンブリと、
前記コンベヤアセンブリの上方に据付けられ、第１のハウジング、第１の分離デバイス、及び第１の分配機構を含む、上部分離ヘッドアセンブリであって、前記第１の分配機構は、第１の供給源（例えばスプール）からの第１の所定量のウエイト材を、前記第１の分離デバイスに対して位置決めし、前記第１の分離デバイスは、前記第１のハウジングに対して移動して、前記第１の供給源から前記第１の所定量のウエイト材を分けるために据付けられている、上部分離ヘッドアセンブリと、
前記コンベヤアセンブリの上方に移動可能に据付けられた第１の端部、及び前記第１の所定量のウエイト材を前記上部分離ヘッドアセンブリから前記ホイールの第１の箇所まで移動させるように構成された、第１のウエイト適用ツールを有する第２の端部を含む、上部制御アームと、
前記コンベヤアセンブリの下方に据付けられ、第２のハウジング、第２の分離デバイス、第３の分離デバイス、及び第２の分配機構を含む、下部分離ヘッドアセンブリであって、前記第２のハウジングは、第２及び第３の所定量のウエイト材を第２及び第３の供給源（例えばスプール）それぞれから受け入れる第１及び第２のレーンを含み、前記第２の分配機構は、前記第１及び第２のレーンを通して前記第２及び第３の所定量のウエイト材を動かし、前記第２の分離デバイスは、前記第２のハウジングに対して移動して、前記第２のスプールから前記第２の所定量のウエイト材を分けるために据付けられ、前記第３の分離デバイスは、前記第２のハウジングに対して移動して、前記第３の供給源から前記第３の所定量のウエイト材を分けるために据付けられている、下部分離ヘッドアセンブリと、
前記コンベヤアセンブリの下方に移動可能に据付けられた第１の端部、並びに前記第２及び第３の所定量のウエイト材を前記下部分離ヘッドアセンブリから前記ホイールの第２及び第３の箇所まで移動させるように構成された第２及び第３のウエイト適用ツールを有する第２の端部を含む、下部制御アームと
を含む、装置。